(57)【特許請求の範囲】
【請求項１】
二つの収納部を有するパウチであって、表面フィルム（１）と裏面フィルム（２）と内側フィルム（３）からなり、該内側フィルムは、パウチの上部にある折り曲げ位置（９）で外面を内側にして折り曲げられており、該内側フィルムと前記表面フィルムは、ボトムシール部（６）とサイドシール部（４）によって第一の収納部（１１）を形成し、該内側フィルムと前記裏面フィルムはボトムシール部（７）とサイドシール部（５）によって第二の収納部（１２）を形成し、前記第一の収納部（１１）と第二の収納部（１２）は、同一の形状であり、前記表面フィルムと前記裏面フィルムは前記内側フィルムの折り曲げ位置（９）よりも長く延設されてトップシール部（８）を形成し、前記内側フィルムの折り曲げ位置（９）と前記トップシール部（８）との間に排出空間（１５）が形成され、前記トップシール部（８）の一部を切り欠いて開口予定部（１３）が突出するように形成され、該開口予定部（１３）の直近の下部に前記排出空間（１５）が形成されており、前記切り欠かれた側のトップシール部は、前記内側フィルムの折り曲げ位置（９）の上部から内側フィルムの折り曲げ位置（９）の直近の下部に渡ってシールされて形成されるものであり、内側フィルムの折り曲げ位置（９）の上部においては、表面フィルムと裏面フィルムがシールされてなり、内側フィルムの折り曲げ位置（９）から直近の下部に渡っては、表面フィルムと内側フィルム、および、裏面フィルムと内側フィルムがシールされてなり、前記第一の収納部（１１）および第二の収納部（１２）のそれぞれと前記排出空間（１５）との間であって前記内側フィルムの折り曲げ位置（９）の直近の下部に、剥離可能な接着部（１４）を設け、２つの収納部が連通しないようにすることにより、それぞれの収納部に異なる内容物を収納可能としたことを特徴とする、二つの収納部を有するパウチ。
【発明の詳細な説明】
【技術分野】
【０００１】
本発明は、軟包装フィルムを貼り合わせてなる物品収納用パウチに関する。
【背景技術】
【０００２】
従来、軟包装フィルムを用いた収納容器としては、最も単純な形状である３方あるいは４方シールの平パウチを始めとして、背貼合掌タイプ、ガセットタイプ、スタンディングパウチ等、さまざまな形状のパウチが使用されている。
【０００３】
カレーその他比較的粘度の高い内容物が収納されたパウチの場合、内容物を十分に取り出すためには、開封後に内容物を絞り出す操作が必要となる。従来の平パウチの場合、大きさがある程度大きいということもあって、特に手の小さい人の場合には、何度も手でしごいて内容物を絞り出す必要があるため、使いにくいものであった。
【０００４】
特許文献１に記載された容易絞り出し性パウチは、このような問題点を解決することを目的としており、その内容は、特許請求の範囲に記載された通り、外部圧力を加えて注出部から内容物を取り出すようにしたパウチにおいて、該パウチの上面あるいは背面に、注出部を形成した取り出しシール部を設け、該取り出しシール部の長さを該取り出しシール部と平行するシール部の長さと同じかほぼ同じ長さとしたことを特徴とする容易絞り出し性パウチである。このパウチの使用に際しては、取り出しシール部に形成した易開封部を利用して注出部を開口させ、次に取り出しシール部を境にして背面どおしを重ね合わせ、注出部がパウチの外側にくるようにパウチを二つ折りにする。次にこの二つ折りにしたパウチの胴部を片手または両手で持って握ることにより、内容物を取り出すというものである。
【０００５】
特許文献１に記載されたパウチによれば、二つ折りにしたパウチを手で握ることによって、絞り出しの効率は上がるものの、正確に二つ折りにするための手段を有しないため、斜めにずれた状態で二つ折りにされた場合には、絞り残しが生じるという欠点があった。またそもそも始めに二つ折りにするという操作が必要であるため、使い慣れない人にとっては、正しい使い方が分かり難いという問題があった。
【０００６】
また、平パウチの他の問題点として、パウチ自体には自立性がないので、開封後のパウチを置いておいて、ちょっと他の仕事をするという時に、何か他の物にもたれかけさせておかないと、倒れて内容物がこぼれてしまうため、不便に感じる時が多々あった。
スタンディングパウチは、この問題を解決するために開発されたものであるが、形状がかさばることと、自立性を確保するために剛性の高い、厚い材料を使用しなければならないため、コスト的に不利であるばかりでなく、材料が厚いために内容物の絞り出し性が劣るという問題点があった。
【特許文献１】特開2001-206387号公報
【発明の開示】
【発明が解決しようとする課題】
【０００７】
本発明が解決しようとする課題は、内容物の絞り出し性に優れ、なおかつ自立性を有する、使い勝手の良いパウチを提案するものである。
【課題を解決するための手段】
【０００８】
上記の課題を解決するための手段として、請求項１に記載の発明は、二つの収納部を有するパウチであって、表面フィルム（１）と裏面フィルム（２）と内側フィルム（３）からなり、該内側フィルムは、パウチの上部にある折り曲げ位置（９）で外面を内側にして折り曲げられており、該内側フィルムと前記表面フィルムは、ボトムシール部（６）とサ
イドシール部（４）によって第一の収納部（１１）を形成し、該内側フィルムと前記裏面フィルムはボトムシール部（７）とサイドシール部（５）によって第二の収納部（１２）を形成し、前記第一の収納部（１１）と第二の収納部（１２）は、同一の形状であり、前記表面フィルムと前記裏面フィルムは前記内側フィルムの折り曲げ位置（９）よりも長く延設されてトップシール部（８）を形成し、前記内側フィルムの折り曲げ位置（９）と前記トップシール部（８）との間に排出空間（１５）が形成され、前記トップシール部（８）の一部を切り欠いて開口予定部（１３）が突出するように形成され、該開口予定部（１３）の直近の下部に前記排出空間（１５）が形成されており、前記切り欠かれた側のトップシール部は、前記内側フィルムの折り曲げ位置（９）の上部から内側フィルムの折り曲げ位置（９）の直近の下部に渡ってシールされて形成されるものであり、内側フィルムの折り曲げ位置（９）の上部においては、表面フィルムと裏面フィルムがシールされてなり、内側フィルムの折り曲げ位置（９）から直近の下部に渡っては、表面フィルムと内側フィルム、および、裏面フィルムと内側フィルムがシールされてなり、前記第一の収納部（１１）および第二の収納部（１２）のそれぞれと前記排出空間（１５）との間であって前記内側フィルムの折り曲げ位置（９）の直近の下部に、剥離可能な接着部（１４）を設け、２つの収納部が連通しないようにすることにより、それぞれの収納部に異なる内容物を収納可能としたことを特徴とする、二つの収納部を有するパウチである。
【発明の効果】
【００１２】
本発明に係るパウチは、表面フィルムと裏面フィルムと内側フィルムからなり、該内側フィルムは、パウチの上部にある折り曲げ位置で外面を内側にして折り曲げられており、該内側フィルムと前記表面フィルムは、ボトムシール部とサイドシール部によって第一の収納部を形成し、該内側フィルムと前記裏面フィルムはボトムシール部とサイドシール部によって第二の収納部を形成し、前記表面フィルムと前記裏面フィルムは前記内側フィルムの折り曲げ位置よりも長く延設されてトップシール部を形成したことにより、第一の収納部と第二の収納部は、トップシール部を中心にして、重ね合わされた状態となっている。従って、トップシール部をはさみ等でカットすることにより、二つの収納部は同時に開口するので二つの収納部を手で圧迫することにより、効率よく内容物を排出することができる。
【００１３】
第一の収納部と第二の収納部の形状を同一の形状とした場合には、二つの収納部が重なり合うので、内容物の排出がさらに効率的となる。
【００１４】
また、本発明に係るパウチは、トップシール部を中心にして二つの収納部が振り分けられた形状となっているので、第一の収納部と第二の収納部のそれぞれボトムシール部を下にして立てることもできるし、サイドシール部を下にして、屏風のように立てることもできる。この性質は、開封後も変わらないので、開封後に内容物がこぼれないように立てておくことが可能であり、使い勝手が良い。
【００１５】
この自立性は、構成材料として特に厚手の腰の強いフィルムを使用しなくても形状自体から発現する性質であるので、内容物の絞り出し性を損なうこともなく、またコスト的にも有利である。
【００１６】
また、同容量の平パウチに比較すると、大きさがほぼ半分になるので、手の小さい人でも絞り出す操作が容易にできる。また外箱の大きさについても、同容量の平パウチの場合に比較して厚さは厚くなるが大きさがほぼ半分となるので、外箱に必要な厚紙の面積は、少なくて済む。
【００１７】
内側フィルムの折り曲げ位置とトップシール部との間に排出空間を形成した場合には、
この排出空間をはさみでカットすることにより、容易に開封することができる。
またこの排出空間に開封ノッチや、カット線、ハーフカット加工等の易開封手段を設けることにより、さらに開封は容易になる。
【００１８】
第一の収納部および第二の収納部のそれぞれかまたはいずれか一方と排出空間との間に剥離可能な接着部を設け、２つの収納部が連通しないようにした場合には、それぞれの収納部に異なる内容物を混合しない状態で収納することが可能となる。
例えばＡ液とＢ液の２液を混合して使用する白髪染めの場合を例にとれば、第一の収納部にＡ液を、第二の収納部にＢ液を収納しておき、外部から内容物を圧迫することによって剥離可能な接着部が開封するようにしておくことにより、排出空間でＡ、Ｂ２液を混合しながら同時に押し出すことが可能となる。
【００１９】
また、本発明に係るパウチは、内側フィルムが折り曲げられており、この折り曲げ位置の上部に表面フィルムと裏面フィルムがトップシール部を形成しているため、第一の収納部と第二の収納部は連通させることが可能であり、この二つの収納部に同じ内容物を収納する場合には、いずれか一方のボトムシール部のみを充填用の開口部として、ここからすべての内容物を充填することができる。
この場合、充填が完了した直後のパウチは、平パウチのような形状となるが、内側フィルムに折り目が存在しているので、容易に正しい位置で折り曲げることができる。
【発明を実施するための最良の形態】
【００２０】
本発明に係る二つの収納部を有するパウチを実施するための最良の形態について、図面に従って詳細に説明する。
図１は、本発明に係る二つの収納部を有するパウチの参考斜視図である。
図２は、図１に示したパウチのＡ−Ｂ、Ｃ断面を示した断面説明図である。
なお、図１〜５は、いずれも表面フィルム１が透明な場合を前提とした図である。
本発明に係る二つの収納部を有するパウチは、表面フィルム１と裏面フィルム２と内側フィルム３からなり、内側フィルム３は、パウチの上部にある折り曲げ位置９で外面を内側にして折り曲げられており、内側フィルム３と表面フィルム１は、ボトムシール部６とサイドシール部４によって第一の収納部１１を形成し、内側フィルム３と裏面フィルム２はボトムシール部７とサイドシール部５によって第二の収納部１２を形成し、表面フィルム１と裏面フィルム２は内側フィルムの折り曲げ位置９よりも長く延設されてトップシール
部８を形成している。
【００２１】
パウチの天頂部において、内側フィルム３と表面フィルム１はシールされておらず、内側フィルム３と裏面フィルム２もシールされていない。トップシール８は、表面フィルム１と裏面フィルム２とによって形成されている。従って、図２に示されたように、第一の収納部１１と第二の収納部１２とは天頂部において連通している。
【００２２】
第一の収納部と第二の収納部は連通しているがそれぞれ独立した空間を形成しているので、共通の雰囲気にあっても問題のない別々の内容物を収納することも可能であるし、もちろん同一の内容物を収納しても良い。異なる内容物を収納する場合には、それぞれの収納部のボトムシール部かサイドシール部を予め未シール状態として開いておき、充填後にシールする。同一の内容物を収納する場合には、いずれか片方のボトムシール部から内容物を充填することが可能である。
【００２３】
図１のパウチを開封する際には、トップシール部８とサイドシール部４、５の角をはさみ等で斜めにカットすれば、二つの収納部が同時に開口するので、二つの収納部に収納された内容物を同時に絞り出すことができる。
この時、二つの収納部の大きさや形を同一にしておくと、絞り残しもなく、絞り出す操作
を円滑に行うことができる。
【００２４】
開封を容易にするために、トップシール部８やサイドシール部４、５等に開封用のノッチを設けたり、ハーフカット切断線を設ける等の易開封手段を設けることは、任意に実施することができる。
【００２５】
本発明に係るパウチは、図１に見られるように、本質的に自立性を有しており、内容物が収納された状態であっても空になった状態であっても、また未開封の状態であっても開封された状態であってもその性質は変わらない。また図には示さないが、サイドシール部を下にして、屏風のように立てることもできる。
【００２６】
また本発明のパウチは、開いて平らに押しつぶして、平パウチのようにすることもできる。こうした場合には、平たい外箱に挿入することが可能となる。このようにした場合であっても、内容物を絞り出す場合には、内側フィルムに折り曲げ線が残っているので、容易に正確な位置で二つに折り曲げることができる。
【００２７】
図３は、本発明に係る二つの収納部を有するパウチの参考斜視図である。本実施形態においては、内側フィルムの折り曲げ位置９とトップシール部８との間に排出空間１５が設けられている。またトップシール部８には中央部にふくらみを設け、ここに開封ノッチ１０を設けてある。このような構造をとることにより、開封ノッチ１０を出発点として、排出空間のフィルムを引き裂き、開口予定部１３に開口部を設けることが容易に可能となる。
【００２８】
図４は、本発明に係る二つの収納部を有するパウチの参考斜視図である。本実施形態においても同様に内側フィルムの折り曲げ位置９とトップシール部８との間に排出空間１５を設けた。本実施形態においては、トップシール部８の一部を切り欠いて開口予定部１３が、突出するように形成した。また開封ノッチ１０は、トップシール部８の側面に設けた。このような構造をとることにより、開封操作はさらに容易となる。
【００２９】
図５は、本発明に係る二つの収納部を有するパウチの実施形態を示した斜視図である。本実施形態においては、前実施形態と同様に内側フィルムの折り曲げ位置９とトップシール部８との間に排出空間１５を設け、トップシール部８の一部を切り欠いて開口予定部１３が、突出するように形成した。また開封ノッチ１０は、トップシール部８の側面に設けた。さらに第一の収納部１１と排出空間１５の間と第二の収納部１２と排出空間１５の間であって内側フィルムの折り曲げ位置９の直近の下部に、剥離可能な接着部１４を設け、第一および第二の収納部１１、１２と排出空間１５とが連通しないようにすることにより、それぞれの収納部に異なる内容物を収納可能としたものである。
剥離可能な接着部１４としては、公知のイージーピール性のシールテープが好適に使用できる。
【００３０】
図５の実施形態においては、二つの収納部にそれぞれ異なる内容物を収納することが可能となる。これらの収納物は、使用前に混合することが好ましくないものであっても問題なく収納することができる。このような内容物の例としては、先に掲げた２液を混合して用いる白髪染めや、２液混合型の接着剤、塗料などの他、最終的には混合して使用するが別々に保存した方が鮮度の維持に有利な食品、例えば酢と油を混合して使用するドレッシングや調味料等が挙げられる。
【００３１】
図５の実施形態のパウチの使用に当たっては、まず二つの収納部を外部から圧迫して内圧を高め、この圧力によって剥離可能な接着部１４を剥離させる。その結果、二つの収納部に収納されていた内容物は、排出空間１５において混じり合うことになる。次いで、開
封ノッチ１０を利用して開口予定部１３のフィルムを引き裂いて開口させ、内容物を押し出す。このような開封手順を踏むことにより、収納部を外部から圧迫して剥離可能な接着部を開封した時に、内容物が飛び散る恐れがなく、安全に開封することが可能となる。
【００３３】
本発明に係るパウチに使用する軟包装フィルムとしては、公知の材料が使用可能である。表面フィルム１、裏面フィルム２、内側フィルム３に使用するフィルムは、それぞれ異なる構成のフィルムを用いても良いし、共通の構成のフィルムであっても良い。これは、収納する内容物に応じて、適宜選択される。
以下、本発明に係るパウチに使用する軟包装フィルムの一例を挙げる。
【００３４】
層構成としては、基材層／接着剤層／シーラント層の３層構成や、基材層／接着剤層／中間層／シーラント層の４層構成の軟包装フィルムが一般的である。
【００３５】
基材層としては、二軸延伸ポリプロピレンフィルム、二軸延伸ポリエステルフィルム、二軸延伸ナイロンフィルム、防湿性セロファンなどが使用される。
【００３６】
接着剤層としては、水酸基を有する主剤とイソシアネート基を有する硬化剤を混合して使用するポリウレタン系接着剤が好ましく使用される。
【００３７】
中間層は、主にパウチにガスバリア性を付与したり、各種機械的特性を向上させる目的で用いられるものであり、単層または多層フィルムからなる。単層フィルムとしては、無延伸ナイロンフィルム、アルミニウム箔、エチレン・ビニルアルコール共重合体フィルム、塩化ビニリデンフィルム、ビニルアルコールフィルム、アクリルフィルム、塩化ビニリデン樹脂コートセロファン等が使用され、多層フィルムとしては、上述した単層フィルムを積層した多層フィルムや、酸化アルミニウム、酸化珪素などの金属酸化物を蒸着したポリエステルフィルムや、アルミニウム蒸着ポリプロピレンフィルムなどが使用される。
【００３８】
シーラント層としては、ポリオレフィン系樹脂またはポリオレフィン系樹脂フィルムが一般的に使用され、具体的には、低密度ポリエチレン、中密度ポリエチレン、直鎖状低密度ポリエチレン、エチレン・酢酸ビニル共重合体などのエチレン系樹脂や、ホモポリプロピレン、プロピレン・エチレンランダム共重合体、プロピレン・エチレンブロック共重合体、ポリプロピレン・αオレフィン共重合体などのポリプロピレン系樹脂などが使用される。
【実施例１】
【００３９】
表面フィルム、裏面フィルム、内側フィルムとも下記層構成からなる軟包装フィルムを用いて、図３に示された形状のパウチを作成した。仕上がりパウチサイズは、幅120ｍｍ、長さ80ｍｍである。
＜軟包装フィルムの層構成＞ＰＥＴフィルム12μｍ（蒸着バリア層付）／ポリアミド樹脂フィルム15μｍ／ＣＰＰフィルム50μｍ
（ＰＥＴ：ポリエチレンテレフタレート樹脂、ＣＰＰ：無延伸ポリプロピレン樹脂）このパウチに酢豚用のあんかけソースを140ｇ充填した。なお本実施例は、参考例である。
【実施例２】
【００４０】
実施例１に用いたものと同じ軟包装フィルムを用いて、図４に示された形状のパウチを作成し、同じ内容物を充填した。パウチのサイズは、実施例１と同じである。なお本実施例は、参考例である。
【００４１】
＜比較例＞
比較例として、従来の平パウチ形状のパウチを、実施例と同じ軟包装フィルムを用いて作成し、これに同じ内容物を充填したものを作成した。なお比較例の平パウチの仕上がりサイズは、幅120ｍｍ、高さ155ｍｍである。
実施例、比較例とも各10個のパウチを作成し、10名のパネラーによるパウチの使いやすさに関するモニターテストを実施した。
【００４２】
＜モニターテストの結果＞
【００４３】
【表１】
0005353067.tif 000002
テスト結果によると、パネラーによっては、使い慣れた従来の形状の方が使いやすいと感じる人もいるが、平均的には、実施例のパウチの方が評価が高く、実施例２の形状のパウチが最も評価が高かった。
【図面の簡単な説明】
【００４４】
【図１】本発明に係る二つの収納部を有するパウチの参考斜視図。
【図２】図１の二つの収納部を有するパウチのＡ−Ｂ、Ｃ断面を示した断面説明図。
【図３】本発明に係る二つの収納部を有するパウチの参考斜視図。
【図４】本発明に係る二つの収納部を有するパウチの参考斜視図。
【図５】本発明に係る二つの収納部を有するパウチの実施形態を示した斜視図。
【符号の説明】
【００４５】
１・・・表面フィルム
２・・・裏面フィルム
３・・・内側フィルム
４・・・サイドシール部
５・・・サイドシール部
６・・・ボトムシール部
７・・・ボトムシール部
８・・・トップシール部
９・・・内側フィルムの折り曲げ位置
１０・・・開封ノッチ
１１・・・第一の収納部
１２・・・第二の収納部
１３・・・開口予定部
１４・・・剥離可能な接着部
１５・・・排出空間
【図１】
0005353067.tif 000003
【図２】
0005353067.tif 000004
【図３】
0005353067.tif 000005
【図４】
0005353067.tif 000006
【図５】
0005353067.tif 000007